(57)【要約】【課題】来訪者と良好なコミュニケーションを図り易くて、良好な人間関係を構築し易い共有インターホン装置、インターホン親機、及びインターホンシステムを提供すること。【解決手段】インターホンシステム１が、共有インターホン装置としてのロビーインターホン装置１１と、親機４１を備えるようにする。ロビーインターホン装置１１は、複数の住居を含む集合住宅において複数の住居で共有される。また、親機４１は、各住居に設置される。ロビーインターホン装置１１が、人の来訪に起因して情報が入力される入力部と、表示部と、を備え、表示部が、当該情報に基づいて当該人に関連する画像を表示するようにする。【選択図】図１
2019165297.tif 000002
【特許請求の範囲】
【請求項１】
複数の住居を含む集合住宅において前記複数の住居で共有される共有インターホン装置であって、
人の来訪に起因して情報が入力される入力部と、
表示部と、を備え、
前記表示部が、前記情報に基づいて当該人に関連する画像を表示する、共有インターホン装置。
【請求項２】
前記入力部は、前記人が操作する操作部を含み、
前記表示部が、前記操作部による操作で入力された情報に基づいて前記画像を表示する、請求項１に記載の共有インターホン装置。
【請求項３】
前記画像が前記情報の変化に基づいて変化する、請求項１又は２に記載の共有インターホン装置。
【請求項４】
前記情報が、前記集合住宅の共用部に設けられた扉を解錠するための解錠情報を含む、請求項１乃至３のいずれか１つに記載の共有インターホン装置。
【請求項５】
前記集合住宅の各住居に設置されたインターホン親機からの情報に基づいて前記表示部が前記画像を表示する、請求項１乃至４のいずれか１つに記載の共有インターホン装置。
【請求項６】
日付を特定する日付特定部を有し、
前記情報によって前記人の来訪を検知すると、前記表示部が、前記日付に関連する画像を表示する、請求項１乃至５のいずれか１つに記載の共有インターホン装置。
【請求項７】
前記情報に基づいて前記人を個人レベルで特定し、前記表示部が、個人レベルで特定した特定人に関連する画像を表示する、請求項１乃至６のいずれか１つに記載の共有インターホン装置。
【請求項８】
複数の住居を含む集合住宅の前記各住居に設置されるインターホン親機であって、
前記集合住宅において前記複数の住居で共有されると共に表示部を有する共有インターホン装置と制御装置を介して通信する通信部と、
前記共有インターホン装置の前記表示部に表示させる画像を入力する入力部と、
を備える、インターホン親機。
【請求項９】
複数の住居を含む集合住宅の前記各住居に設置されるインターホン親機であって、
前記集合住宅において前記複数の住居で共有されると共に表示部を有する共有インターホン装置と制御装置を介して通信する通信部と、
複数の画像のうちから前記共有インターホン装置の表示部に表示させる表示画像を選択する選択部と、
を備える、インターホン親機。
【請求項１０】
請求項１乃至７のいずれか１つに記載の共有インターホン装置と、
複数の住居を含む集合住宅の前記各住居に設置されるインターホン親機と、
を備える、インターホンシステム。
【発明の詳細な説明】
【技術分野】
【０００１】
本開示は、マンション等の集合住宅において複数の住居で共有される共有インターホン装置に関する。また、本開示は、集合住宅の各住居に設置されるインターホン親機に関する。また、本開示は、共有インターホン装置と、インターホン親機を備えるインターホンシステムに関する。
【背景技術】
【０００２】
特許文献１に記載されているように、共有インターホン装置としては、住居を選択する選択操作部と、信号送信部を備えるものがある。この共有インターホン装置は、宅配業者等がその選択操作部で特定の住居を選択すると、選択された住居のインターホン親機に、当該住居が選択されて呼び出されたことを表す信号や、当該宅配業者等が話した音声を表す信号を出力する。この共有インターホン装置は、用件の伝達等、実利的なやり取りを実行するために用いられる。
【先行技術文献】
【特許文献】
【０００３】
【特許文献１】特開平１０−３３６６１４号公報
【発明の概要】
【発明が解決しようとする課題】
【０００４】
各住居内の人と、その住居への来訪者（当該住居の住人も含む）が、共有インターホン装置を通じて良好なコミュニケーションを図ることができれば、各住居内の人と来訪者とが、良好な人間関係を築き易くて好ましい。
【０００５】
そこで、本開示の目的は、来訪者と良好なコミュニケーションを図り易くて、良好な人間関係を構築し易い共有インターホン装置、インターホン親機、及びインターホンシステムを提供することにある。
【課題を解決するための手段】
【０００６】
上記課題を解決するため、本開示に係る共有インターホン装置は、複数の住居を含む集合住宅において複数の住居で共有される共有インターホン装置であって、人の来訪に起因して情報が入力される入力部と、表示部と、を備え、表示部が、情報に基づいて当該人に関連する画像を表示する。
【０００７】
また、本開示に係るインターホン親機は、複数の住居を含む集合住宅の各住居に設置されるインターホン親機であって、集合住宅において複数の住居で共有されると共に表示部を有する共有インターホン装置と制御装置を介して通信する通信部と、共有インターホン装置の表示部に表示させる画像を入力する入力部と、を備える。
【０００８】
なお、入力部を介して入力される画像のデータは、インターホン親機の記憶部に記憶されてもよく、制御装置の記憶部に記憶されてもよい。又は、入力部を介して入力される画像のデータは、共有インターホン装置の記憶部に記憶されてもよい。
【０００９】
また、本開示に係るインターホン親機は、複数の住居を含む集合住宅の各住居に設置されるインターホン親機であって、集合住宅において複数の住居で共有されると共に表示部を有する共有インターホン装置と制御装置を介して通信する通信部と、複数の画像のうちから共有インターホン装置の表示部に表示させる表示画像を選択する選択部と、を備える。
【発明の効果】
【００１０】
本開示に係る共有インターホン装置、インターホン親機、及びインターホンシステムによれば、来訪者と良好なコミュニケーションを図り易くて、良好な人間関係を構築し易い。
【図面の簡単な説明】
【００１１】
【図１】本開示の一実施形態に係るインターホンシステムの概略構成図である。
【図２】モニタが子供を映し出している状態のインターホン親機を示す図である。
【図３】モニタに選択部が現れている状態のインターホン親機を示す図である。
【図４】表示部が、子供が喜ぶキャラクターの画像を表示している状態のロビーインターホン本体を示す図である。
【図５】（ａ）は、ロビーインターホン本体の表示部に表示される子供が喜ぶキャラクターの画像であり、（ｂ）は、当該表示部に表示される来客を歓迎する画像である。また、（ｃ）は、当該表示部に表示される住人をねぎらう画像であり、（ｄ）は、当該表示部に表示される父親をねぎらう画像である。
【図６】（ａ）は、ロビーインターホン本体の表示部に表示される来客を歓迎する画像であり、（ｂ）は、当該表示部に表示される朝の挨拶を表現する画像である。
【図７】（ａ）は、ロビーインターホン本体の表示部に表示されるコンシェルジュ的な画像であり、（ｂ）は、当該表示部に表示される呼出中であることを表す画像であり、（ｃ）は、当該表示部に表示される通話中であることを表す画像である。また、（ｄ）は、当該表示部に表示される訪問を歓迎することを表す画像であり、（ｅ）は、当該表示部に表示される住居の住人が留守であることを表す画像である。
【発明を実施するための形態】
【００１２】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、本開示は、下記実施形態およびその変形例に限定されるものではなく、本願の特許請求の範囲に記載された事項およびその均等な範囲において種々の改良や変更が可能であることは言うまでもない。また、以下の説明では、インターホンシステム１が、デジタル信号で情報をやり取りする場合について説明する。しかし、インターホンシステムは、アナログ信号で情報をやり取りしてもよい。
【００１３】
図１は、本開示の一実施形態に係るインターホンシステム１の概略構成図である。このインターホンシステム１は、例えばマンション等の集合住宅で利用される。図１に示すように、インターホンシステム１は、共用部システム１０、玄関システム３０、室内システム４０、及び制御装置９０を備える。
【００１４】
共用部システム１０は、共有インターホン装置としてのロビーインターホン装置１１を備え、ロビーインターホン装置１１は、ロビーインターホン本体１２と、非接触キー制御装置１３を含む。ロビーインターホン装置１１は、集合住宅の内部と外部を区切る共用ゲート１４よりも外部側に設けられて全ての住居で共有される。ロビーインターホン本体１２は、音声を入出力するマイクロホン（図示せず）及びスピーカ（図示せず）と、来訪者を撮像するカメラと、表示部と、カメラからの映像信号をデジタル変調する映像デジタル変調回路を備える。表示部は、液晶パネルや有機ＥＬパネル等で構成される。表示部が受ける信号や、表示部が表示する画像については、後で図２以下の図を用いて詳細に説明する。上記マイクロホンとカメラは、人の来訪に起因して情報が入力される入力部に含まれる。
【００１５】
また、ロビーインターホン本体１２は、音声処理回路（図示せず）と、音声デジタル変復調回路（図示せず）を備える。音声処理回路は、マイクから入力されるアナログ音声信号をデジタル音声信号に変換して出力する一方、受信されて復調されたデジタル音声信号をアナログ音声信号に変換してスピーカから出力する。また、ロビーインターホン本体１２は、操作部を備え、操作部は、住居番号を入力するための操作部と、呼出釦を含む。この操作部と、呼出釦は、人の来訪に起因して情報が入力される入力部に含まれる。後述するが、操作部で住居番号を選択した後に呼出釦を操作すると、選択した住居内のインターホン親機４１等が内蔵スピーカを用いて呼出音を出力する。
【００１６】
ロビーインターホン本体１２の周辺には、非接触キー検知部１５が設けられる。非接触キー検知部１５は、人の来訪に起因して情報が入力される入力部に含まれる。非接触キー検知部１５も、共用ゲート１４よりも外部側に設けられる。非接触キー検知部１５は、例えば、ＩＣ（integrated circuit）カードリーダまたはＩＣタグリーダで構成される。非接触キーが非接触キー検知部１５にかざされると、非接触キー検知部１５は、非接触キー内に埋め込まれたＩＣチップの識別コードを読み込む。識別コードは、使用者を特定可能な情報を含む。非接触キー制御装置１３は、情報記憶部を有する。非接触キー制御装置１３は、上記ＩＣリーダを介して読み込まれた識別コードと、情報記憶部に格納された解錠を許可する識別コードを照合する。非接触キー制御装置１３は、照合した識別コードの結果が一致すれば、共用ゲート１４の扉を開閉するドア開閉機構に解錠を表す信号を出力し、共用ゲート１４の扉を開く。非接触キー内に埋め込まれたＩＣチップの識別コードにより、当該非接触キーの所有者が、個人レベルで特定され、例えば、○○○号室の誰々と特定される。
【００１７】
共用部システム１０は、制御装置９０、及び玄関システム３０を経由した伝送線Ｌで室内システム４０に接続される。制御装置９０は、集合住宅の共有機器等を統括制御するために設けられる。制御装置９０は、ロビーインターホン装置１１に入力された情報に基づいて、ロビーインターホン装置１１と通信させるインターホン親機４１を特定し、ロビーインターホン装置１１と特定したインターホン親機４１との通信回線を開く制御を実行する。また、詳述しないが、制御装置９０は、図示しない通報システムの通報機へ所定の通報先に通報信号を送信させる制御や、図示しないエレベータの昇降制御等を行う。所定の通報先には、例えば管理会社や消防署が含まれる。また、制御装置９０は、管理人室の管理事務室親機９２にも接続される。管理事務室親機９２は、制御装置９０を介してインターホンシステム１の各機器に信号を出力でき、インターホンシステム１の各機器は、制御装置９０を介して管理事務室親機９２へ信号を出力できる。
【００１８】
伝送線Ｌは、共用部システム１０のロビーインターホン装置１１から制御装置９０を介して玄関システム３０の分岐器３１に接続される伝送線Ｌ１と、分岐器３１と室内システム４０のインターホン親機（以後、単に親機という）４１を接続する住居別線Ｌ２を含む。伝送線Ｌとしては、例えば、１対以上のペア線をシース内に含む多対ツイストペアケーブルを好適に採用できる。伝送線Ｌは、ロビーインターホン装置１１と親機４１との間で、ロビーインターホン本体１２のカメラ（図示せず）で撮像された映像信号と音声信号とを搬送波デジタル信号で多重伝送する信号線を含む。また、伝送線Ｌは、ロビーインターホン本体１２の操作部で選択された親機４１を指定する制御信号を伝送する制御線を含む。尚、伝送線Ｌが１対のペア線を含むようにし、１対のペア線で制御信号と映像及び音声デジタル信号とを多重伝送してもよく、制御線を設けなくてもよい。
【００１９】
玄関システム３０の分岐器３１は、制御装置９０からのびる伝送線Ｌを分岐して各住居の玄関システム３０に接続するために設けられる。各住居の親機４１は、適切な設定を行うことで分岐器３１を介して所望の住居の親機４１と信号の送受信を実行可能になる。玄関システムの３０のインターホン子機（以下、単に子機という）３２は、集合住宅の各住居の玄関先に配置される。子機３２は、音声を入出力するマイクロホン（図示せず）及びスピーカ（図示せず）と、来訪者を撮像するカメラ（図示せず）と、カメラからの映像信号をデジタル変調する映像デジタル変調回路を含む。また、子機３２は、音声処理回路（図示せず）と、音声デジタル変復調回路（図示せず）と、送受信回路（図示せず）と、多重分離回路（図示せず）を有する。音声処理回路は、マイクから入力されるアナログ音声信号をデジタル音声信号に変換して出力すると共に、受信されて復調されたデジタル音声信号をアナログ音声信号に変換してスピーカから出力する。音声デジタル変復調回路は、音声処理回路から出力されるデジタル音声信号を適宜な方式でデジタル変調して出力すると共に、受信されたデジタル音声信号を復調する。送受信回路は、親機４１にデジタル音声信号及びデジタル映像信号を送信すると共に、親機４１から送られてくるデジタル音声信号を受信する。多重分離回路は、音声デジタル変復調回路で変調されたデジタル音声信号、及び映像デジタル変調回路で変調されたデジタル映像信号を多重化する。この多重化された信号は、送受信回路から住居別線Ｌ３を介して親機４１に送信される。また、多重分離回路は、送受信回路により受信されるデジタル音声信号を分離して音声デジタル変復調回路へ出力する。子機３２は、呼出釦（図示せず）を有する。子機３２の呼出釦が操作されると、呼出音が、音声処理回路に入力されてスピーカから送出される。
【００２０】
上述のように、親機４１は、住居別線Ｌ３を介して子機３２に接続される。親機４１は、音声を入出力するマイクロホン（図示せず）及びスピーカ（図示せず）を有する。また、親機４１は、送受信回路（図示せず）と、音声処理回路（図示せず）と、音声デジタル変復調回路（図示せず）と、多重分離回路（図示せず）と、映像デジタル復調回路（図示せず）と、モニタ装置（図示せず）を有する。送受信回路は、デジタル音声信号を送信すると共に、ロビーインターホン装置１１及び子機３２から送られてくるデジタル音声信号及びデジタル映像信号を受信する。音声処理回路は、マイクから入力されるアナログ音声信号をデジタル音声信号に変換して出力すると共に、受信されて復調されたデジタル音声信号をアナログ音声信号に変換してスピーカから出力する。音声デジタル変復調回路は、音声処理回路から出力されるデジタル音声信号を適宜な方式でデジタル変調して出力すると共に、受信されたデジタル音声信号を復調する。多重分離回路は、音声デジタル変復調回路で変調されたデジタル音声信号をロビーインターホン装置１１から送信されるデジタル映像信号やデジタル音声信号に対して多重化して送受信回路から送信させる。また、多重分離回路は、送受信回路により受信されたデジタル映像信号を分離する。映像デジタル復調回路は、多重分離回路で分離されたデジタル映像信号から映像信号に復調する。モニタ装置は、復調された映像信号を入力して映像を映し出す。
【００２１】
親機４１は、内部回路を制御するＣＰＵ（図示せず）を有する。ＣＰＵは、制御線とのインタフェースを構成する制御信号送受信回路（図示せず）に接続される。制御信号送受信回路は、ＣＰＵから出力された制御信号を制御線に送出し、制御線から受信した制御信号をＣＰＵに引き渡す。
【００２２】
制御装置９０から送出された制御信号は、制御線に接続される全ての親機４１に伝送される。各親機４１のＣＰＵには、アドレス（例えば、住居番号）が個別に設定されている。例えば、ロビーインターホン装置１１においてアドレスを選択することで、アドレスを指定する制御信号が、制御装置９０から伝送線（制御線）Ｌを介して全ての親機４１に伝送される。親機４１のＣＰＵは、制御信号に含まれるアドレスが自己のアドレスであれば、ロビーインターホン装置１１との間に通信路を確立する。そして、親機４１のＣＰＵは、ロビーインターホン本体１２のカメラにおいて撮像された来訪者の映像を親機４１のモニタ装置に表示させ、スピーカから呼出音を鳴動させる。
【００２３】
室内システム４０は、必要に応じて副親機（モニタ付副親機４２及び通話副親機４３）を含む。モニタ付副親機４２は、伝送線Ｌ４を介して親機４１に接続され、通話副親機４３は、伝送線Ｌ５を介してモニタ付副親機４２に接続される。親機４１は、ロビーインターホン装置１１や子機３２と、副親機４２,４３との間の通信を中継する機能を有し、住人は、副親機４２,４３を用いて、ロビーインターホン本体１２や子機３２を使用する来訪者との間で通話できる。
【００２４】
モニタ付副親機４２は、例えば、音声回路（図示せず）と、映像回路（図示せず）とを含む。モニタ付副親機４２と親機４１を接続する伝送線Ｌ４は、２線の信号線からなる。音声信号と、映像信号と、副親機を制御するための制御信号は、周波数多重化が実行され、伝送線Ｌ４を伝送する。モニタ付副親機４２と通話副親機４３とを接続する伝送線Ｌ５も、２線の信号線からなる。音声信号と制御信号は、周波数多重化が実行され、伝送線Ｌ５を伝送する。
【００２５】
音声回路は、通話のためのスピーカ（図示せず）とマイク（図示せず）を備え、マイクによって電気信号に変換された音声信号を親機４１に送信し、親機４１から自機に送信された音声信号をスピーカから送出する。音声回路は、第１フィルタを介して親機４１に接続されるとともに、別の第１フィルタを介して通話副親機４３に接続される。映像回路は、例えば液晶ディスプレイからなるモニタ（図示せず）を含み、親機４１から送信された映像信号を元に、ロビーインターホン本体１２や子機３２のカメラで撮影された映像をモニタに表示させる。映像回路は、例えば、第２フィルタを介して親機４１に接続される。
【００２６】
通話副親機４３は、音声回路（図示せず）を含む。上述のように、伝送線Ｌ５には音声信号と制御信号が周波数多重化されて伝送される。該音声回路は、通話のためのスピーカ（図示せず）とマイク（図示せず）を備え、伝送線Ｌ５を介して入力された音声信号をスピーカから出力し、マイクに入力された音声を電気信号に変換して得た音声信号を伝送線Ｌ５に送出する。
【００２７】
例えば、来訪者がロビーインターホン装置１１を用いて呼出操作を行うと、ロビーインターホン装置１１が、呼出信号を親機４１へ送信すると共にカメラからの映像信号を親機４１へ送信する。親機４１は、呼出信号と映像信号を受信すると、呼出音をスピーカ（図示せず）から出力させるとともに、モニタにカメラで撮影された映像を表示させる。親機４１は、更に、伝送線Ｌ４を介してモニタ付副親機４２に呼出信号及び映像信号を送信し、モニタ付副親機４２は、呼出音をスピーカから出力させると共に、モニタに映像信号を表示させる。また、モニタ付副親機４２は、親機４１から受信した呼出音を通話副親機４３に送信し、通話副親機４３は、呼出音をスピーカから出力する。住人が呼出音を聞いて応答することに決めた場合、住人は親機４１又は副親機４２,４３を用いて応答操作を行う。応答操作が行われると、住人が応答操作を行った親機４１又は副親機（モニタ付副親機４２及び通話副親機４３）と、ロビーインターホン本体１２との間で通話路が形成され、住人と来訪者が、インターホンシステム１を利用した通話を実行可能になる。
【００２８】
詳述しないが、親機４１は、モニタ付副親機４２、携帯機器アダプタ４５と、無線ＬＡＮルータ４６を介して携帯機器４７、例えば、携帯電話やタブレット等と信号のやり取りを実行可能になっている。携帯機器アダプタ４５は、例えば、親機４１又は副親機４２,４３間の通信で用いられる通信規格の信号と、携帯機器４７で用いられる通信規格の信号の変換を行う。この通信システムで、ユーザは、ロビーインターホン装置１１又は子機３２からの呼び出しに携帯機器で応答可能になる。
【００２９】
次に、ロビーインターホン本体１２の表示部８０に表示する画像について説明する。より詳しくは、本開示のインターホンシステム１では、ロビーインターホン本体１２が人の来訪に起因して情報が入力される入力部と、表示部を備え、表示部が、当該情報に基づいて当該人に関連する画像を表示する。以下、このことについて詳細に説明する。
【００３０】
最初に、図２〜図５を用いて、親機４１での操作に基づいて、ロビーインターホン本体１２の表示部８０（図４参照）が画像を表示する例について具体的に説明する。先ず、集合住宅の特定住居の住人に含まれる子供が、ロビーインターホン本体１２の操作部８１（図４参照）を操作して、当該特定住居の親機４１を呼び出したとする。すると、図２に示すように、ロビーインターホン本体１２のカメラ８２（図４参照）が撮像した子供の映像が、親機４１のモニタ６０に映し出される。このとき、当該特定住居内の人、例えば、子供の母親が、モニタ６０に触れると、親機４１のモニタ６０に、複数の画像のうちからロビーインターホン本体１２の表示部８０に表示させる表示画像を選択する選択部６１が現れる。図３に示す例では、この選択部６１は、タッチパネルで構成されて４つの押圧部６１ａ〜６１ｄを含み、各押圧部６１ａ〜６１ｄには、「おかえり」、「いらっしゃい」、「どうぞ」、及び「お疲れさま」と記載されている。
【００３１】
母親が、自身の子供だと判断して、「おかえり」と記載された押圧部６１ａに触れたとする。すると、ロビーインターホン本体１２の表示部８０に、例えば、図４、及び図５（ａ）に示すような、子供が喜ぶキャラクターの画像（この例では、うさぎの画像）と共に、「おかえり」との文言が表示される。また、住居の人が、親機４１のモニタ６０で、ロビーインターホン本体１２の操作部８１で当該住居を呼び出したのが、友人等の客人であると判断して、「いらっしゃい」と記載された押圧部６１ｂに触れたとする。すると、ロビーインターホン本体１２の表示部８０に、例えば、図５（ｂ）に示すような、来客を歓迎する画像（この例では、お辞儀をする男性の画像）と、「いらっしゃいませ」との文言が表示される。また、住居の人が、親機４１のモニタ６０で、ロビーインターホン本体１２の操作部８１で当該住居を呼び出したのが、外出していた他の住人であると判断して、「どうぞ」と記載された押圧部６１ｃに触れたとする。すると、ロビーインターホン本体１２の表示部８０に、例えば、図５（ｃ）に示すような、住人をなごませる画像（この例では、女の子の画像）と、「おっそーい」との文言が表示される。また、住居の人が、親機４１のモニタ６０で、ロビーインターホン本体１２の操作部８１で当該住居を呼び出したのが、仕事から帰宅した父親であると判断して、「お疲れさま」と記載された押圧部６１ｄに触れたとする。すると、ロビーインターホン本体１２の表示部８０に、例えば、図５（ｄ）に示すような、父親をねぎらう画像（この例では、愛嬌がある猫の画像）と、「今日も一日おつかれさま」との文言が表示される。また、これ以外の具体例としては、図示はしないが、住居の人が、ロビーインターホン本体１２の操作部８１で当該住居を呼び出したのが、宅配業者等であると判断して、「どうぞ」と記載された押圧部６１ｃに触れたとする。すると、ロビーインターホン本体１２の表示部８０に、例えば、宅配業者等に感謝を示す画像（例えば、女性がお辞儀をしている画像等）と、「お疲れ様です」との文言が表示されるようにしてもよい。
【００３２】
なお、図３の押圧部に記載された文言と、図５の画像に表示される文言が、必ずしも一致しない場合について説明した。しかし、図３の押圧部に記載された文言と、図５の画像に表示される文言が、同じ意味を表す言葉であると、住人が表示したいと選択したものが表示されることになるため好ましい。この変形例は、例えば、図５（ｃ）の画像に表示される文言を、「おっそーい」から「どうぞ」と変更することで実現できる。
【００３３】
これらの画像データは、ロビーインターホン本体１２の記憶部に記憶され、親機４１の操作によって、ロビーインターホン本体１２の表示部８０に表示されてもよく、この場合、親機４１からロビーインターホン本体１２に送信する情報量を小さくできて好ましい。なお、この場合、集合住宅の全ての住居の親機４１の操作で、ロビーインターホン本体１２の表示部８０に同じ画像が表示される。
【００３４】
又は、これらの画像データは、制御装置９０の記憶部に記憶され、親機４１の操作によって、制御装置９０からロビーインターホン本体１２に送信され、ロビーインターホン本体１２の表示部８０に表示されてもよい。又は、これらの画像データは、親機４１の記憶部に記憶され、親機４１の操作によって、親機４１からロビーインターホン本体１２に送信され、ロビーインターホン本体１２の表示部８０に表示されてもよい。
【００３５】
また、住人が親機４１等の各押圧部を押したときに表示される各画像を、住人が所望する画像に設定できるようにしてもよい。詳しくは、親機４１等が、ロビーインターホン本体１２の表示部８０に表示させる画像データを入力する入力部を有してもよい。そして、住居毎にロビーインターホン本体１２の表示部８０に異なる画像を表示できるようにしてもよい。この場合、入力部によって取り込まれる画像のデータは、親機４１の記憶部、制御装置９０の記憶部、又はロビーインターホン本体１２の記憶部に記憶されてもよい。
【００３６】
また、上記図３に示す選択部６１は、解錠機能を兼ねていてもよく、住人が、いずれかの押圧部６１ａ〜６１ｄに触れると、ロビーインターホン本体１２の表示部８０に画像が表示されると共に、共用ゲート１４（図１参照）の扉が開いてもよい。又は、親機４１が、上記選択部の他に解錠操作部を有してもよく、住人が、単に解錠操作部を操作すると、ロビーインターホン本体１２の表示部８０に画像を表示せずに、共用ゲート１４の扉が開くようになっていてもよい。
【００３７】
なお、この例では、ロビーインターホン本体１２の表示部８０が親機４１の操作に基づいて画像を表示し、親機４１は、ロビーインターホン本体１２と制御装置９０を介して通信する通信部を備える。また、親機４１を用いて、ロビーインターホン本体１２の表示部８０に画像を表示する場合について説明した。しかし、親機に加えて、１以上の副親機４２,４３、及び１以上の携帯機器４７のうちの少なくとも一つを用いて、ロビーインターホン本体１２の表示部８０に画像を表示できるようにしてもよい。
【００３８】
次に、ロビーインターホン本体１２の表示部８０が、共用ゲート１４の解錠情報に基づいて画像を表示する例について具体的に説明する。ロビーインターホン装置１１は、ＩＤ認証（住居を特定可能なチップが埋め込まれた非接触キーやカード）、プライベート暗証番号（住居毎に決められた暗証番号）、及び逆マスターキー（各住居の扉を解錠する機能と、共用ゲート１４の扉を解錠する機能とを兼用するキー）のうちの少なくとも１つで共用ゲート１４を解錠するようにしてもよい。例えば、上述の説明では、非接触キーを、非接触キー検知部１５にかざすだけで、当該非接触キーが特定の住居の特定のキーであることを特定でき、共用ゲート１４の扉が開く。また、非接触キーを保持した状態で共用ゲートに近づくだけで、共用ゲートが解錠され、共用ゲートの扉が自動で開くようにしてもよい。また、ＩＤ認証として、非接触キーの替りにカードを用いてもよい。また、ロビーインターホン本体１２の操作部を用いてプライベート暗証番号を入力すると、共用ゲートの扉が自動で開くようにしてもよい。また、逆マスターキーをロビーインターホン本体１２に設けられた所定の鍵穴に差し込んで回転させることで、共用ゲート１４の扉が開くようにしてもよい。
【００３９】
これらの非接触キー検知部１５やカードの検知部や、プライベート暗証番号の入力部や、所定の鍵穴は、人の来訪に起因して情報が入力される入力部に含まれる。これらの入力部が取得した情報は、特定住居の特定住人の帰宅情報を含む。このような場合、ロビーインターホン本体１２の表示部が、親機４１での操作を一切介さずに、図５（ａ）に示すような、帰宅した住人をほっとさせる画像等を表示してもよい。
【００４０】
また、親機４１の解錠操作部で共用ゲート１４の扉が開かれた場合や、ロビーインターホン本体１２の操作部で管理事務室親機９２が呼び出され、解錠信号が管理事務室親機９２から制御装置９０を介してロビーインターホン本体１２に出力された場合を考える。このような場合、ロビーインターホン本体１２の制御部等（制御装置９０でもよい）が、来客があったと判断して、図６（ａ）に示すような、来客を歓迎する画像を表示部８０に表示させてもよい。
【００４１】
また、宅配業者、郵便局員、又は新聞配達員等に、共用ゲート１４の扉を開くための専用のＩＤカードや非接触キー等を渡して、ダイレクトデリバリーを認めている場合がある。そして、ロビーインターホン装置１１の入力部が、ＩＤカードや非接触キーで来訪者が宅配業者、郵便局員、又は新聞配達員であると特定できる場合がある。このような場合、ロビーインターホン装置１１の制御部等（制御装置９０でもよい）は、例えば、内蔵タイマと当該ＩＤカード等で、来訪者が新聞配達員であり、朝刊配達のために来訪したと判断できる。よって、このような場合、ロビーインターホン本体１２の表示部８０が、上記制御部等からの制御信号で、図６（ｂ）に示すような、朝の挨拶を表現する画像を表示してもよい。
【００４２】
なお、管理人が、共用ゲート１４の扉を開くための４桁暗証番号が存在し、この４桁暗証番号が、ロビーインターホン本体１２の操作部８１に入力されると、共用ゲート１４の扉が開く場合がある。そのような場合には、その４桁暗証番号が、ロビーインターホン本体１２の操作部８１に入力されても、ロビーインターホン本体１２の表示部８０が、画像を表示しなくてもよい。また、パニックオープン、すなわち、火災等が発生した場合に、共用ゲート１４の扉が開状態を維持する場合がある。このような場合も、ロビーインターホン本体１２の表示部８０が、画像を表示しなくてもよい。
【００４３】
このようにして、住人等が画像を選択しなくても、ロビーインターホン本体１２の表示部８０が状況に応じた表示を自動的に実行し、住人等が画像を選択する手間を省くようにしてもよい。なお、ロビーインターホン本体１２の制御部が、ロビーインターホン本体１２の表示部８０に画像を表示させる場合について説明した。しかし、集合住宅の制御を統括する制御装置９０が、ロビーインターホン本体１２の表示部８０に画像を表示させてもよい。又は、各住居に設置された親機４１が、ロビーインターホン本体１２からの信号に基づいてロビーインターホン本体１２の表示部８０に画像を表示させてもよい。
【００４４】
次に、ロビーインターホン本体１２の操作状況に応じて画像を変化させる例について具体的に説明する。ロビーインターホン装置１１の周辺に人感センサや熱線センサが配置されて、ロビーインターホン本体１２に近づいた人を検知する場合がある。このような場合、先ず、当該センサやカメラ８２（図４参照）が人を検知すると、ロビーインターホン本体１２の表示部８０が、図７（ａ）に示すようなコンシェルジュ的な画像を表示してもよい。そして、その後、当該人が、ロビーインターホン本体１２の操作部８１（図４参照）で特定の住居を選択すると、図７（ｂ）に示すような呼出中であることを表す画像を表示してもよい。続いて、当該人と、呼び出された住居の住人との、ロビーインターホン本体１２と、当該住居の親機４１等を用いた通話が始まったとする。すると、当該通話の継続中に、ロビーインターホン本体１２の表示部８０が、図７（ｃ）に示すような通話中であることを表す画像を表示してもよい。また、その後、当該住居の住人が、共用ゲート１４の解錠操作を行うと、図７（ｄ）に示すような訪問を歓迎することを表す画像を表示してもよい。また、ロビーインターホン本体１２の操作部８１で呼び出された住居の住人が不在で、当該住居の親機４１の留守録機能が起動した場合には、ロビーインターホン本体１２の表示部８０が、図７（ｅ）に示すような当該住居の住人が留守であることを表す画像を表示してもよい。この例によれば、一連の操作の流れの中のプロセスによって画像を変えることができる。
【００４５】
次に、日付によってロビーインターホン本体１２の表示部８０に表示する表示を切り替える例について具体的に説明する。例えば、ロビーインターホン本体１２には、日付特定部としての時計が内蔵され、ロビーインターホン本体１２の制御部が、時計から日付及び時刻を表す信号を受信してもよい。この場合、時計は、電波時計で構成され、ロビーインターホン本体１２に設けられた太陽電池を電源としてもよい。又は、時計は、一般的なデジタル時計で、家庭用の電源からの電力がデジタル時計に供給されてもよい。そして、ロビーインターホン本体１２の入力部が、ＩＤカード等で来訪者の存在を認識すると、当該制御部が、入力部からの信号と、時計からの信号とに基づいて、ロビーインターホン本体１２の表示部８０に、当該日付に基づいた画像を表示させてもよい。例えば、ロビーインターホン本体１２の表示部８０は、正月に門松の画像を表示してもよく、クリスマスに、クリスマスケーキ、クリスマスツリー、又はサンタクロースの画像を表示してもよい。また、ロビーインターホン本体１２の表示部８０は、例えば、こどもの日に鯉のぼりの画像を表示してもよく、母の日にカーネーションの画像を表示してもよい。また、ロビーインターホン本体１２の表示部８０は、有名人、例えば、ジョンレノンやアインシュタインの誕生日にその有名人の画像を表示してもよい。なお、時計が、ロビーインターホン本体１２に設けられる場合について説明したが、ロビーインターホン本体１２は、日付及び時刻を、制御装置９０からの信号で特定してもよく、日付及び時刻を、親機４１からの信号で特定してもよい。
【００４６】
次に、ロビーインターホン装置１１が特定した個人レベルの来訪者に応じてロビーインターホン本体１２の表示部８０の表示を切り替える例について具体的に説明する。上述のように、ＩＤカードや非接触キーの情報は、住居の情報のみならず使用している個人を特定する情報も含む場合がある。詳しくは、ＩＤカードや非接触キーは、特定住居のＩＤカードや非接触キーである情報と、特定住居の特定番号のＩＤカードや特定番号の非接触キーである情報を含む。よって、ロビーインターホン装置１１の入力部は、ＩＤカードや非接触キーで入力された情報によって、来訪者を個人レベルで特定でき、例えば、３２４号室に居を構えている家族の父親であることを特定できる。又は、ロビーインターホン装置１１は、プライベート暗証番号、指紋認証、虹彩認証、音声話者認証、又は顔認証で来訪者を個人レベルで特定できる構成でもよい。このような場合、来訪者が子供だと特定されると、ロビーインターホン本体１２の表示部８０が、例えば、図５（ａ）に示す子供が喜ぶキャラクターの画像を表示してもよい。また、来訪者が父親だと特定されると、ロビーインターホン本体１２の表示部８０が、例えば、図５（ｄ）に示す父親をねぎらう画像を表示してもよい。
【００４７】
更には、日付と、ロビーインターホン本体１２の操作者情報とに基づく画像を表示部８０に表示してもよい。ロビーインターホン装置１１は、ＩＤカードや非接触キー、プライベート暗証番号、指紋認証、虹彩認証、音声話者認証、又は顔認証によって、来訪者を個人レベルで特定できてもよい。また、ロビーインターホン装置１１、制御装置９０、及び親機４１のうちの少なくとも１つは、日付特定部としての時計と、記憶部を有し、更に、その記憶部に、特定住居の住人の誕生日や結婚記念日等を入力できる操作部を有してもよい。このような場合、ロビーインターホン装置１１の制御部、制御装置９０、又は親機４１の制御部が、ロビーインターホン装置１１の入力部からの情報で、来訪者が特定住居の父親だと特定したとする。また、制御部が、時計からの信号で、父親の誕生日を認識したとする。その場合、表示部８０が、制御部からの制御信号を受けて、当該父親の誕生日に、誕生日を祝う画像、例えばバースデーケーキ等と「おめでとう」等の文字を表示してもよい。
【００４８】
又は、特定住居の世帯主の配偶者の、誕生日、母の日、及び結婚記念日の少なくとも１つが、上記記憶部に記憶されていてもよい。そして、制御部が、ロビーインターホン装置１１の入力部からの情報で、当該世帯主を特定し、時計からの日付を表す信号で、当該配偶者の誕生日、母の日、及び結婚記念日等を認識してもよい。そのような場合、制御部が、表示部８０に制御信号を出力することで、表示部８０に、その旨を表現する文言と、当該配偶者の誕生日等を祝う画像を表示させてもよい。世帯主が、配偶者の誕生日や、結婚記念日等を忘れていることがある。このような場合、世帯主が、表示部８０で、配偶者の誕生日や結婚記念日であることを思い出すことができる。よって、世帯主が花束等を買いに戻る機会が得られ、家庭内の無用ないざこざを回避できて好ましい。なお、誕生日や結婚記念日の情報は、個人情報であるので、これらの情報は、親機４１の記憶部に記憶されると好ましく、特定住居の住人の誕生日や結婚記念日等を入力できる操作部も、親機４１に存在すると好ましい。これに対し、表示部８０に画像を表示させる制御部は、ロビーインターホン本体１２、又は制御装置９０に存在すると好ましい。
【００４９】
また、ロビーインターホン装置から、画像と共に、画像に合った音を出力してもよく、例えば、ロビーインターホン装置から、画像と共に、画像に合った音楽を流してもよく、ロビーインターホン装置から、画像に合ったメッセージを音声で流してもよい。この場合、画像と共に音により内容を把握しやすくすることができる。
【００５０】
また、ロビーインターホン装置に表示される画像は、親機等に表示されてもよい。この場合、住人がロビーインターホンに表示させた画像を確認できる。
【００５１】
以上、ロビーインターホン装置（共有インターホン装置）１１は、複数の住居を含む集合住宅において複数の住居で共有される。また、ロビーインターホン装置１１は、人の来訪に起因して情報が入力される入力部と、表示部８０と、を備え、表示部８０は、当該情報に基づいて当該人に関連する画像を表示する。
【００５２】
本構成によれば、来訪者を、当該画像で、楽しませたり、和ませたりできる。よって、来訪者と良好なコミュニケーションを図り易くて、良好な人間関係を構築し易くなる。
【００５３】
また、入力部が、人が操作する操作部８１を含み、表示部８０が、操作部８１による操作で入力された情報に基づいて画像を表示してもよい。
【００５４】
本構成によれば、親機４１のモニタで操作部８１を操作した来訪者を確認できる。よって、親機４１の操作で、表示部８０にその来訪者に適した画像を表示させることが可能になる。
【００５５】
また、入力部が、人が操作する操作部８１を含み、表示部８０が、操作部８１による操作で入力された情報に基づいて画像を表示してもよく、画像が当該情報の変化に基づいて変化してもよい。
【００５６】
本構成によれば、一連の操作の流れの中のプロセスによって画像を変えることができる。よって、来訪者が、一連の操作の流れの中で時々刻々状態（状況）を視覚的に判断できる。
【００５７】
また、人の来訪に起因して、ロビーインターホン装置１１の入力部で入力された情報が、集合住宅の共用部に設けられた扉を解錠するための解錠情報を含んでもよい。
【００５８】
本構成によれば、住人等が画像を選択しなくても、ロビーインターホン本体１２の表示部８０に状況に応じた表示を自動的に実行させることができ、住人等が画像を選択する手間を省くことができる。
【００５９】
また、集合住宅の各住居に設置された親機４１からの情報に基づいて表示部８０が画像を表示してもよい。なお、親機４１からの情報には、親機４１を経由してロビーインターホン本体１２に出力された情報が含まれ、例えば、副親機４２,４３や携帯機器４７で入力されて親機４１を経由した情報が含まれる。
【００６０】
本構成によれば、親機４１からの情報に基づいて表示部８０が画像を表示する。したがって、住居内の住人が表示部８０に適切な表示をさせることができる。
【００６１】
また、人の来訪に起因して、ロビーインターホン装置１１の入力部で入力された情報が日付を特定する日付特定部を有してもよい。そして、ロビーインターホン装置１１が、情報によって人の来訪を検知すると、表示部８０が、日付に関連する画像を表示してもよい。
【００６２】
本構成によれば、来訪者が来訪した日に関連する画像を表示部８０で表示でき、来訪者が当該日にちなんだ出来事等を知ることができる。
【００６３】
また、人の来訪に起因して、ロビーインターホン装置１１の入力部で入力された情報に基づいて人を個人レベルで特定し、表示部が、個人レベルで特定した特定人に関連する画像を表示してもよい。
【００６４】
本構成によれば、表示部８０で、個人レベルで特定した特定人に関連する画像を表示でき、当該特定人に画像でメッセージ等を送ることができる。
【００６５】
また、親機４１は、複数の住居を含む集合住宅の各住居に設置される。また、親機４１は、集合住宅において複数の住居で共有されると共に表示部８０を有するロビーインターホン装置１１と制御装置９０を介して通信する通信部を備える。また、親機４１は、ロビーインターホン装置１１の表示部８０に表示させる画像を入力する入力部を備えてもよい。
【００６６】
本構成によれば、住居の住人がロビーインターホン装置１１の表示部８０に表示したい画像を親機４１の記憶部等に入力できる。
【００６７】
また、親機４１は、複数の住居を含む集合住宅の各住居に設置される。また、親機４１は、集合住宅において複数の住居で共有されると共に表示部８０を有するロビーインターホン装置１１と制御装置９０を介して通信する通信部を備える。また、親機４１は、複数の画像のうちからロビーインターホン装置１１の表示部８０に表示させる表示画像を選択する選択部を備えてもよい。
【００６８】
本構成によれば、住居の住人が選択部を用いてロビーインターホン装置１１の表示部８０に表示する適切な画像を選択できる。
【００６９】
また、インターホンシステム１は、ロビーインターホン装置１１と、親機４１を備えてもよい。
【００７０】
本構成によれば、来訪者と良好なコミュニケーションを図り易くて、良好な人間関係を構築し易いインターホンシステム１を実現できる。
【符号の説明】
【００７１】
１  インターホンシステム、  １１  ロビーインターホン装置、  １４  共用ゲート、  １５  非接触キー検知部、  ４１  親機、  ４２  モニタ付副親機、  ４３  通話副親機、  ４７  携帯機器、  ６１  選択部、  ８０  表示部、  ８１  操作部、  ８２  カメラ、  ９０  制御装置。
【図１】
2019165297.tif 000003
【図２】
2019165297.tif 000004
【図３】
2019165297.tif 000005
【図４】
2019165297.tif 000006
【図５】
2019165297.tif 000007
【図６】
2019165297.tif 000008
【図７】
2019165297.tif 000009